(57)【要約】【課題】切花を簡単に水に挿した状態で梱包でき、使用後の処分も容易な植物の湿式輸送容器を提供する。【解決手段】外箱の底部に挿入して、切花を水に挿した状態で輸送する切花輸送用の保水容器において、段ボール製の枠体１と、プラスチックフィルム製の袋２とから成り、前記枠体１では、各一対の頂板３及び側枠板４を連設し、頂板３から脚板５を延出して、側枠板４と脚板５とを三角状の隅折片６を介して繋ぎ、隅折片６と側枠板４の境界をなす谷折線７を頂部の角から内側へ傾斜させ、隅折片６を折り込みつつ、脚板５及び側枠板４を下方へ折り曲げると、側枠板４が下窄まりに傾斜して、側枠板４の上端から突片８が上広がりに突出し、この突片８の内面に沿って袋２が開口するようにする。【選択図】図１
2006069622.tif 000002
【特許請求の範囲】
【請求項１】
外箱の底部に挿入して、切花を水に挿した状態で輸送する切花輸送用の保水容器において、段ボール製の枠体と、プラスチックフィルム製の袋とから成り、前記枠体では、各一対の頂板及び側枠板を連設し、頂板から脚板を延出して、側枠板と脚板とを三角状の隅折片を介して繋ぎ、隅折片と側枠板の境界をなす谷折線を頂部の角から内側へ傾斜させ、隅折片を折り込みつつ、脚板及び側枠板を下方へ折り曲げると、側枠板が下窄まりに傾斜して、側枠板の上端から突片が上広がりに突出し、この突片の内面に沿って袋が開口するようにしたことを特徴とする切花輸送用の保水容器。
【請求項２】
前記一対の頂板の内縁に折曲片を連設し、この折曲片を斜め下方へ折り曲げたことを特徴とする請求項１に記載の切花輸送用の保水容器。
【請求項３】
前記一対の脚板を切り込んで、袋の把手部を引っ掛ける引掛片を形成したことを特徴とする請求項１又は２に記載の切花輸送用の保水容器。
【発明の詳細な説明】
【技術分野】
【０００１】
この発明は、切花を水に挿して鮮度を保ちつつ、輸送できるようにした切花輸送用の保水容器に関するものである。
【背景技術】
【０００２】
従来、切花輸送用の梱包体として、図６に示すように、段ボール製の外箱５１及び台枠５２から成り、外箱５１の底部に台枠５２を挿入し、この台枠５２で鉢状の容器５３を保持して、容器５３に入れた土に切花５４を植えたままの状態で、切花５４を輸送できるようにしたものが使用されている（下記特許文献１参照）。
【０００３】
【特許文献１】実公平４−３９１３２号公報（第５図）
【発明の開示】
【発明が解決しようとする課題】
【０００４】
ところで、上記のような梱包体の容器５３に水を入れ、切花を水に挿した状態で輸送するには、外箱５１が倒れても水が漏れないように、容器５３として開口部に中心方向への鍔を有するプラスチック成形体を使用する。
【０００５】
しかしながら、このような梱包体では、切花の梱包に際し、台枠５２の組み立てや容器５３のセットに手間がかかり、輸送先での開梱後に不要となった容器５３が嵩高い不燃ごみとして発生するという問題がある。
【０００６】
そこで、この発明は、切花を簡単に水に挿した状態で梱包でき、使用後の処分も容易な植物の湿式輸送容器を提供することを課題とする。
【課題を解決するための手段】
【０００７】
上記課題を解決するため、この発明は、外箱の底部に挿入して、切花を水に挿した状態で輸送する切花輸送用の保水容器において、段ボール製の枠体と、プラスチックフィルム製の袋とから成り、前記枠体では、各一対の頂板及び側枠板を連設し、頂板から脚板を延出して、側枠板と脚板とを三角状の隅折片を介して繋ぎ、隅折片と側枠板の境界をなす谷折線を頂部の角から内側へ傾斜させ、隅折片を折り込みつつ、脚板及び側枠板を下方へ折り曲げると、側枠板が下窄まりに傾斜して、側枠板の上端から突片が上広がりに突出し、この突片の内面に沿って袋が開口するようにしたのである。
【０００８】
また、前記保水容器の枠体において、一対の頂板の内縁に折曲片を連設し、この折曲片を斜め下方へ折り曲げたのである。
【０００９】
さらに、前記保水容器の枠体において、一対の脚板を切り込んで、袋の把手部を引っ掛ける引掛片を形成したのである。
【発明の効果】
【００１０】
このような保水容器では、切花の出荷に際し、枠体を組み立てると、枠体の形状が安定し、上方へかけて外側へ傾いた突片に沿って袋の開口が広げられるので、袋に切花の茎を容易に挿入することができ、出荷に伴う作業の負担が軽減される。また、切花の茎が突片や折曲片で支持され、倒れにくくなる。
【００１１】
また、脚板に袋の把手部を引っ掛ける引掛片を形成すると、一般のレジ袋を使用することができる。
【００１２】
そして、使用後には、枠体から袋を分離し、袋を嵩低く丸めた状態で、不燃物として処分することができる。
【発明を実施するための最良の形態】
【００１３】
この発明の実施形態を添付図面に基づいて説明する。図１に示すように、この保水容器は、段ボール製の枠体１と、プラスチックフィルム製の袋２とから構成される。
【００１４】
枠体１のブランクでは、図２に示すように、各一対の頂板３及び側枠板４が中央の開口部を取り巻くように連設され、各頂板３の外縁に脚板５が連設されている。側枠板４と脚板５とは三角状の隅折片６を介して繋がれ、隅折片６と側枠板４の境界をなす谷折線７は頂板３の角から内側へ傾斜している。
【００１５】
側枠板４には、中央の開口部へ向けて突片８が設けられ、頂板３の鈍角をなす内側の二辺には、折曲片９が連設されている。
【００１６】
袋２としては、ガセット袋が使用され、扁平に折り畳んで伏せた袋２の上面には、Ｈ形の切込１０が入れられている。この切込１０の周囲の部分は、枠体１の突片８及び折曲片９の周囲の部分の裏面に貼り付けられている。
【００１７】
いま、この保水容器を使用して切花を出荷する際には、図３に示すように、枠体１のブランクにおいて、隅折片６を折り込みつつ、脚板５及び側枠板４を下方へ折り曲げる。
【００１８】
これに伴い、図１に示すように、側枠板４が下窄まりに傾斜して、側枠板４の上端から突片８が上広がりに突出し、突片８の内面に沿って袋２が開口する。
【００１９】
そして、折曲片９を斜め下方へ折り曲げ、袋２に水を入れて、この保水容器を外箱の底部にセットし、切花の茎を袋２の開口に挿入する。
【００２０】
上記のような保水容器では、枠体１を組み立てると、枠体１の形状が安定し、上方へかけて外側へ傾いた突片８に沿って袋２の開口が広げられるので、袋２に切花の茎を容易に挿入することができ、出荷に伴う作業の負担が軽減される。
【００２１】
また、切花の茎が突片８や折曲片９で支持されて、倒れにくくなり、切花の傷みが防止される。なお、折曲片９の基端から頂板３に切込を入れて突片を形成すると、その突片が折曲片９の折り曲げに伴い立ち上がり、切花挿入時のガイドとなる。
【００２２】
そして、使用後には、枠体１から袋２を引き剥がして分離すると、枠体１はリサイクルのための回収に出すことができ、袋２は嵩低く丸めた状態で、不燃物として容易に処分することができる。
【００２３】
ところで、上記実施形態では、袋２として、ガセット袋を使用したが、図４に示すように、一般に商店で商品の持ち帰り用に配布されるレジ袋を、枠体１に貼り付けることなく使用できるようにしてもよい。
【００２４】
この場合、図５に示すように、枠体１のブランクにおいて、一対の脚板５に切り込みを入れて、押込片１１と引掛片１２とをシーソー状に形成しておく。
【００２５】
そして、切花を出荷する際、図４に示すように、袋２を開口させて、その開口の周囲の部分を突片８に被さるように折り返し、押込片１１の押し込みに伴い、引掛片１２を起き上がらせて、引掛片１２に袋２の把手部１３を引っ掛ける。
【００２６】
このように、引掛片１２に袋２の把手部１３を引っ掛けると、枠体１からの袋２の脱落が防止され、袋２の開口状態が維持されるので、上記実施形態のものと同様に使用でき、袋２に切花の茎を容易に挿入することができる。
【図面の簡単な説明】
【００２７】
【図１】この発明の第１実施形態に係る保水容器の組立状態を示す斜視図
【図２】同上の枠体のブランクを示す図
【図３】同上の組立過程を示す斜視図
【図４】この発明の第２実施形態に係る保水容器の組立状態を示す斜視図
【図５】同上の枠体のブランクを示す図
【図６】従来の切花の梱包体を示す斜視図
【符号の説明】
【００２８】
１  枠体
２  袋
３  頂板
４  側枠板
５  脚板
６  隅折板
７  谷折線
８  突片
９  折曲片
１０  切込
１１  押込片
１２  引掛片
【図１】
2006069622.tif 000003
【図２】
2006069622.tif 000004
【図３】
2006069622.tif 000005
【図４】
2006069622.tif 000006
【図５】
2006069622.tif 000007
【図６】
2006069622.tif 000008